(57)【要約】【課題】  自動ドアの予知保全を支援することができる自動ドア監視システムおよび故障予知情報生成装置を提供する。【解決手段】  自動ドア監視システムは、自動ドア３０の故障の予知を示す故障予知情報を生成するデータ変換器２１およびサーバーと、データ変換器２１およびサーバーによって生成された故障予知情報を通知する拠点端末とを備え、データ変換器２１およびサーバーは、自動ドア３０から出力される、自動ドア３０を駆動するモーターの電流値の正常時からの変化に基づいて故障予知情報を生成することを特徴とする。【選択図】  図２
2020070709.tif 000002
【特許請求の範囲】
【請求項１】
自動ドアの故障の予知を示す故障予知情報を生成する情報生成部と、
前記情報生成部によって生成された前記故障予知情報を通知する情報通知部と
を備え、
前記情報生成部は、前記自動ドアから出力される情報の正常時からの変化に基づいて前記故障予知情報を生成することを特徴とする自動ドア監視システム。
【請求項２】
前記自動ドアから出力される情報は、前記自動ドアを駆動するモーターの電流値を含み、
前記情報生成部は、前記電流値の正常時からの変化に基づいて前記故障予知情報を生成することを特徴とする請求項１に記載の自動ドア監視システム。
【請求項３】
前記自動ドアから出力される情報は、前記自動ドアの開きおよび閉じの少なくとも１つの動作における、前記自動ドアのドアの移動速度を含み、
前記情報生成部は、前記移動速度の正常時からの変化に基づいて前記故障予知情報を生成することを特徴とする請求項１に記載の自動ドア監視システム。
【請求項４】
前記自動ドアから出力される情報は、前記自動ドアの開きおよび閉じの少なくとも１つの動作の所要時間を含み、
前記情報生成部は、前記所要時間の正常時からの変化に基づいて前記故障予知情報を生成することを特徴とする請求項１に記載の自動ドア監視システム。
【請求項５】
前記自動ドアから出力される情報は、前記自動ドアの開きおよび閉じの少なくとも１つの動作において前記自動ドアに発生する振動を含み、
前記情報生成部は、前記振動の正常時からの変化に基づいて前記故障予知情報を生成することを特徴とする請求項１に記載の自動ドア監視システム。
【請求項６】
前記自動ドアから出力される情報は、前記自動ドアの開きおよび閉じの少なくとも１つの動作における、前記自動ドアを駆動するモーターの回転の回数を含み、
前記情報生成部は、前記回数の正常時からの変化に基づいて前記故障予知情報を生成することを特徴とする請求項１に記載の自動ドア監視システム。
【請求項７】
前記自動ドアから出力される情報は、前記自動ドアのセンサーの感度を含み、
前記情報生成部は、前記感度の正常時からの変化に基づいて前記故障予知情報を生成することを特徴とする請求項１に記載の自動ドア監視システム。
【請求項８】
前記情報生成部は、前記自動ドアから出力される情報の正常時からの変化の程度に基づいて、この情報の変化に関連する部品の劣化度合いを取得し、取得した前記劣化度合いを前記故障予知情報に含めることを特徴とする請求項１から請求項７までのいずれかに記載の自動ドア監視システム。
【請求項９】
前記情報生成部は、前記故障予知情報を含むレポートを自動で生成することを特徴とする請求項１から請求項８までのいずれかに記載の自動ドア監視システム。
【請求項１０】
前記情報通知部は、前記レポートを前記自動ドアの保有者に自動で送信することを特徴とする請求項９に記載の自動ドア監視システム。
【請求項１１】
自動ドアの故障の予知を示す故障予知情報を生成する情報生成部を備え、
前記情報生成部は、前記自動ドアから出力される情報の正常時からの変化に基づいて前記故障予知情報を生成することを特徴とする故障予知情報生成装置。
【発明の詳細な説明】
【技術分野】
【０００１】
本発明は、自動ドアの状態を監視する自動ドア監視システムおよび故障予知情報生成装置に関する。
【背景技術】
【０００２】
従来の自動ドア監視システムとして、ドアの開閉回数や、ドアの開閉動作中において障害物によって発生した停止などのエラーの回数から、自動ドアのメンテナンスの時期を予測するものが知られている（例えば、特許文献１参照。）。
【先行技術文献】
【特許文献】
【０００３】
【特許文献１】特開２００３−０９０１６９号公報
【発明の概要】
【発明が解決しようとする課題】
【０００４】
しかしながら、従来の自動ドア監視システムにおいては、ドアの開閉回数などから自動ドアのメンテナンスの時期をどのように予測するのか不明であり、実際に自動ドアのメンテナンスの時期を予測することが可能であるのか不明であるという問題がある。
【０００５】
そこで、本発明は、自動ドアの予知保全を支援することができる自動ドア監視システムおよび故障予知情報生成装置を提供することを目的とする。
【課題を解決するための手段】
【０００６】
本発明の自動ドア監視システムは、自動ドアの故障の予知を示す故障予知情報を生成する情報生成部と、前記情報生成部によって生成された前記故障予知情報を通知する情報通知部とを備え、前記情報生成部は、前記自動ドアから出力される情報の正常時からの変化に基づいて前記故障予知情報を生成することを特徴とする。
【０００７】
この構成により、本発明の自動ドア監視システムは、自動ドアから出力される情報の正常時からの変化に基づいて自動ドアの故障予知情報を生成し、生成した故障予知情報を通知するので、自動ドアの予知保全を支援することができる。
【０００８】
本発明の自動ドア監視システムにおいて、前記自動ドアから出力される情報は、前記自動ドアを駆動するモーターの電流値を含み、前記情報生成部は、前記電流値の正常時からの変化に基づいて前記故障予知情報を生成しても良い。
【０００９】
この構成により、本発明の自動ドア監視システムは、自動ドアを駆動するモーターの電流値の正常時からの変化に基づいて故障予知情報を生成するので、自動ドアのドアの移動に対して異常な抵抗が存在する場合の自動ドアの予知保全を支援することができる。
【００１０】
本発明の自動ドア監視システムにおいて、前記自動ドアから出力される情報は、前記自動ドアの開きおよび閉じの少なくとも１つの動作における、前記自動ドアのドアの移動速度を含み、前記情報生成部は、前記移動速度の正常時からの変化に基づいて前記故障予知情報を生成しても良い。
【００１１】
この構成により、本発明の自動ドア監視システムは、自動ドアの開きおよび閉じの少なくとも１つの動作における、自動ドアのドアの移動速度の正常時からの変化に基づいて故障予知情報を生成するので、自動ドアのドアの移動に対して異常な抵抗が存在する場合の自動ドアの予知保全を支援することができる。
【００１２】
本発明の自動ドア監視システムにおいて、前記自動ドアから出力される情報は、前記自動ドアの開きおよび閉じの少なくとも１つの動作の所要時間を含み、前記情報生成部は、前記所要時間の正常時からの変化に基づいて前記故障予知情報を生成しても良い。
【００１３】
この構成により、本発明の自動ドア監視システムは、自動ドアの開きおよび閉じの少なくとも１つの動作の所要時間の正常時からの変化に基づいて故障予知情報を生成するので、自動ドアのドアの移動に対して異常な抵抗が存在する場合の自動ドアの予知保全を支援することができる。
【００１４】
本発明の自動ドア監視システムにおいて、前記自動ドアから出力される情報は、前記自動ドアの開きおよび閉じの少なくとも１つの動作において前記自動ドアに発生する振動を含み、前記情報生成部は、前記振動の正常時からの変化に基づいて前記故障予知情報を生成しても良い。
【００１５】
この構成により、本発明の自動ドア監視システムは、自動ドアの開きおよび閉じの少なくとも１つの動作において自動ドアに発生する振動の正常時からの変化に基づいて故障予知情報を生成するので、自動ドアのドアの移動に対して異常な抵抗が存在する場合の自動ドアの予知保全を支援することができる。
【００１６】
本発明の自動ドア監視システムにおいて、前記自動ドアから出力される情報は、前記自動ドアの開きおよび閉じの少なくとも１つの動作における、前記自動ドアを駆動するモーターの回転の回数を含み、前記情報生成部は、前記回数の正常時からの変化に基づいて前記故障予知情報を生成しても良い。
【００１７】
この構成により、本発明の自動ドア監視システムは、自動ドアの開きおよび閉じの少なくとも１つの動作における、自動ドアを駆動するモーターの回転の回数の正常時からの変化に基づいて故障予知情報を生成するので、タイミングベルトの伸びや、ドア、ガイドレール、ハンガーレール、ドアハンガーなどの部品のネジの緩みが存在する場合の自動ドアの予知保全を支援することができる。
【００１８】
本発明の自動ドア監視システムにおいて、前記自動ドアから出力される情報は、前記自動ドアのセンサーの感度を含み、前記情報生成部は、前記感度の正常時からの変化に基づいて前記故障予知情報を生成しても良い。
【００１９】
この構成により、本発明の自動ドア監視システムは、自動ドアのセンサーの感度の正常時からの変化に基づいて故障予知情報を生成するので、センサーの感度の劣化が存在する場合の自動ドアの予知保全を支援することができる。
【００２０】
本発明の自動ドア監視システムにおいて、前記情報生成部は、前記自動ドアから出力される情報の正常時からの変化の程度に基づいて、この情報の変化に関連する部品の劣化度合いを取得し、取得した前記劣化度合いを前記故障予知情報に含めても良い。
【００２１】
この構成により、本発明の自動ドア監視システムは、自動ドアから出力される情報の正常時からの変化に関連する部品の劣化度合いを故障予知情報に含めるので、部品の交換に関して、自動ドアの予知保全を支援することができる。
【００２２】
本発明の自動ドア監視システムにおいて、前記情報生成部は、前記故障予知情報を含むレポートを自動で生成しても良い。
【００２３】
この構成により、本発明の自動ドア監視システムは、故障予知情報を含むレポートを自動で生成するので、作業員が現場で自動ドアの状態を見てレポートを生成する必要がなく、利便性を向上することができる。
【００２４】
本発明の自動ドア監視システムにおいて、前記情報通知部は、前記レポートを前記自動ドアの保有者に自動で送信しても良い。
【００２５】
この構成により、本発明の自動ドア監視システムは、故障予知情報を含むレポートを自動ドアの保有者に自動で送信するので、利便性を向上することができる。
【００２６】
本発明の故障予知情報生成装置は、自動ドアの故障の予知を示す故障予知情報を生成する情報生成部を備え、前記情報生成部は、前記自動ドアから出力される情報の正常時からの変化に基づいて前記故障予知情報を生成することを特徴とする。
【００２７】
この構成により、本発明の故障予知情報生成装置は、自動ドアから出力される情報の正常時からの変化に基づいて自動ドアの故障予知情報を生成するので、自動ドアの予知保全を支援することができる。
【発明の効果】
【００２８】
本発明の自動ドア監視システムおよび故障予知情報生成装置は、自動ドアの予知保全を支援することができる。
【図面の簡単な説明】
【００２９】
【図１】本発明の一実施の形態に係る自動ドア監視システムのブロック図である。
【図２】図１に示す自動ドア側システムのブロック図である。
【図３】駆動装置を現わした状態での図２に示す自動ドアの正面図である。
【図４】図３に示す自動ドアの側面図である。
【図５】図２に示す例とは異なる例での自動ドア側システムのブロック図である。
【図６】モーターの電流値の正常時からの変化に基づいて異常情報を生成する場合の図２に示すデータ変換器の動作のフローチャートである。
【図７】モーターによって開かれる場合の図３に示すドアの移動速度の一例を示す図である。
【図８】モーター電流値異常情報に基づいて故障予知情報を生成する場合の図１に示すサーバーの動作のフローチャートである。
【図９】図１に示すサーバーから拠点端末に送信されるレポートの一例を示す図である。
【図１０】サーバーがレポートを生成する場合の図１に示す自動ドア監視システムの動作のシーケンス図である。
【図１１】図１に示す例とは異なる例での自動ドア監視システムのブロック図である。
【発明を実施するための形態】
【００３０】
以下、本発明の一実施の形態について、図面を用いて説明する。
【００３１】
まず、本実施の形態に係る自動ドア監視システムの構成について説明する。
【００３２】
図１は、本実施の形態に係る自動ドア監視システム１０のブロック図である。
【００３３】
図１に示すように、自動ドア監視システム１０は、自動ドアの設置場所に配置される自動ドア側システム２０を備えている。自動ドア監視システム１０は、自動ドア側システム２０と同様の構成の自動ドア側システムを、自動ドア側システム２０以外に少なくとも１つ備えることが可能である。
【００３４】
自動ドア監視システム１０は、例えばコールセンターや自動ドアの保守業務を行う拠点などに配置される拠点端末６０を備えている。拠点端末６０は、自動ドアの各種の設定を示す設定情報と、自動ドアの状態および動作の少なくとも１つに関する情報としての各種の保全情報と、自動ドアの故障の予知を示す故障予知情報と、自動ドアの発生済みの故障を示す故障情報との少なくとも１つが送信されてきた場合に、送信されてきた情報を、拠点に所属する者に通知する装置であり、本発明の情報通知部を構成している。自動ドアの故障予知情報および故障情報は、自動ドアの異常を示す異常情報の一種である。したがって、拠点のサービスパーソンは、拠点端末６０によって通知された情報に応じて、この情報の対象の自動ドアの保有者への電話や、この自動ドアに対する現場作業など、この自動ドアに対する保守業務を行うことができる。自動ドア監視システム１０は、拠点端末６０と同様の構成の拠点端末を、拠点端末６０以外に少なくとも１つ備えることが可能である。自動ドア監視システム１０における拠点端末は、自動ドアの保守業務を行う拠点毎に１つ以上配置されても良い。拠点端末は、例えばＰＣ（Ｐｅｒｓｏｎａｌ  Ｃｏｍｐｕｔｅｒ）などのコンピューターによって構成されている。
【００３５】
自動ドア監視システム１０は、自動ドアの設定情報、保全情報、故障予知情報および故障情報など、自動ドアに関する様々な情報を自動ドア側システムから収集するサーバー７０を備えている。サーバー７０は、自動ドア側システムから収集した情報に基づいて故障予知情報および故障情報を生成することができ、本発明の情報生成部および故障予知情報生成装置を構成している。サーバー７０は、自動ドア側システムから収集した情報や、自ら生成した故障予知情報および故障情報など、自動ドアに関する様々な情報を拠点端末に通知することができる。サーバー７０は、例えばＰＣなどのコンピューターによって構成されている。
【００３６】
自動ドア側システムと、サーバー７０とは、インターネットなどのネットワーク１１を介して互いに通信可能に接続されることが可能である。同様に、拠点端末と、サーバー７０とは、インターネットなどのネットワーク１２を介して互いに通信可能に接続されることが可能である。
【００３７】
図２は、自動ドア側システム２０のブロック図である。
【００３８】
図２に示すように、自動ドア側システム２０は、自動ドア３０を備えている。自動ドア側システム２０は、自動ドア３０と同様の構成の自動ドアを、自動ドア３０以外に少なくとも１つ備えることが可能である。
【００３９】
図３は、駆動装置４０を現わした状態での自動ドア３０の正面図である。図４は、自動ドア３０の側面図である。
【００４０】
図３および図４に示すように、自動ドア３０は、引き戸である左右１枚ずつのドア３１と、開閉しない固定された建具である左右１枚ずつのフィックス３２と、ドア３１の下部に取り付けられた振れ止め３１ａが案内されるガイドレール３３と、ドア３１およびフィックス３２の上部に設けられた無目３４と、無目３４に取り付けられていてドア３１の一面側で近傍の通行者などの物体を検知するための起動センサー３５と、無目３４に取り付けられていてドア３１の他面側で近傍の通行者などの物体を検知するための起動センサー３６と、フィックス３２に取り付けられていてドア３１の開口を通過する通行者などの物体を検知するための補助光電センサー３７と、無目３４内に設けられた駆動装置４０とを備えている。
【００４１】
駆動装置４０は、ハンガーレール４１と、ハンガーレール４１上を走行する戸車４２ａを備えていて２つで１枚のドア３１を吊り下げる４つのドアハンガー４２と、２つのドア３１のそれぞれの１つのドアハンガー４２が取り付けられたタイミングベルト４３と、タイミングベルト４３がかけられた駆動プーリー４４および従動プーリー４５と、ドアハンガー４２が接触することによってドア３１の開方向への移動を制限するドアストッパー４６と、駆動プーリー４４を駆動するモーター４７と、自動ドア３０を制御するコントローラー４８とを備えている。
【００４２】
駆動装置４０は、様々なメーカーのものが採用されることが可能である。
【００４３】
コントローラー４８は、コンピューターである。コントローラー４８は、モーター４７の電流値を検知することが可能である。
【００４４】
起動センサー３５、起動センサー３６および補助光電センサー３７と、コントローラー４８との間の通信は、例えばＣＡＮ（Ｃｏｎｔｒｏｌｌｅｒ  Ａｒｅａ  Ｎｅｔｗｏｒｋ）通信などの特定の通信で実現される。
【００４５】
図２に示すように、自動ドア側システム２０は、コントローラー４８から出力される情報などの各種の情報を特定の通信方式の通信データに加工するデータ変換器２１を備えている。データ変換器２１は、コンピューターである。ここで、コントローラー４８からデータ変換器２１に出力される情報としては、例えば、自動ドア３０の各種の設定情報と、自動ドア３０の開きの動作におけるモーター４７の電流値、自動ドア３０の開きの動作におけるドア３１の移動速度、自動ドア３０の閉じの動作におけるドア３１の移動速度、自動ドア３０の開きの動作の所要時間、自動ドア３０の１回の開きの動作におけるモーター４７の回転の回数など、自動ドア３０の各種の保全情報と、自動ドア３０の異常を示す異常情報とが存在する。コントローラー４８からデータ変換器２１への情報の出力は、即時に実行されても良い。コントローラー４８から出力される情報の種類やフォーマットは、駆動装置４０のメーカーによって異なる。したがって、データ変換器２１のメーカーは、駆動装置４０のメーカーと同一であることが好ましい。データ変換器２１は、コントローラー４８から出力される情報に基づいて故障予知情報および故障情報を生成することができ、本発明の情報生成部および故障予知情報生成装置を構成している。自動ドア側システム２０は、自動ドア毎にデータ変換器を備えている。
【００４６】
自動ドア側システム２０は、データ変換器２１、起動センサー３５、起動センサー３６および補助光電センサー３７から出力される情報を中継する中継ボックス２２を備えている。ここで、起動センサー３５、起動センサー３６および補助光電センサー３７から中継ボックス２２に出力される情報としては、例えば、各センサーの各種の設定情報と、各センサーの稼働時間、各センサーによる検知回数、各センサーの感度など、各センサーの状態および動作の少なくとも１つに関する情報としての各種の保全情報と、各センサーの異常を示す異常情報とが存在する。データ変換器２１から中継ボックス２２に出力される情報としては、コントローラー４８からデータ変換器２１に出力された情報以外に、データ変換器２１で生成された故障予知情報および故障情報が存在する。
【００４７】
中継ボックス２２と、起動センサー３５、起動センサー３６および補助光電センサー３７との間の通信は、例えばＣＡＮ通信などの特定の通信で実現される。
【００４８】
自動ドア側システム２０は、自動ドア毎に中継ボックスを備えている。なお、自動ドア側システム２０に含まれる中継ボックスは、中継ボックス２２が親機で、他は子機である。
【００４９】
自動ドア側システム２０は、中継ボックスによって中継された情報をサーバー７０（図１参照。）に送信する無線または有線の通信機器としてのゲートウェイ２３を備えている。ゲートウェイ２３は、自動ドア側システム２０に含まれる中継ボックスのうち親機である中継ボックス２２のみに接続されている。したがって、自動ドア側システム２０は、複数の自動ドアに対して１つのゲートウェイ２３のみを備えていれば良く、ゲートウェイの購入費と、通信費とを抑えることができる。
【００５０】
なお、データ変換器、中継ボックスおよびゲートウェイは、自動ドアに対して後付けが可能な構成になっている。したがって、自動ドアの所有者は、データ変換器、中継ボックスおよびゲートウェイを利用したサービスの提供を受けることを希望する場合にのみ、データ変換器、中継ボックスおよびゲートウェイを自動ドアに対して設置されることが可能であり、データ変換器、中継ボックスおよびゲートウェイを利用したサービスの提供を受けることを希望しない場合には、データ変換器、中継ボックスおよびゲートウェイを自動ドアに対して設置するための導入コストを抑えることができる。
【００５１】
自動ドア側システム２０は、図２に示す自動ドア３０に代えて、図５に示す自動ドア５０を備えても良い。
【００５２】
図５は、自動ドア５０を備える場合の自動ドア側システム２０のブロック図である。
【００５３】
図５に示す自動ドア側システム２０の構成のうち、図２に示す自動ドア側システム２０の構成と同一の構成については、同一の符合を付して詳細な説明を省略する。
【００５４】
図５に示すように、自動ドア５０の駆動装置は、自動ドア５０を制御するコントローラー５１を備えている。自動ドア５０の駆動装置は、様々なメーカーのものが採用されることが可能である。コントローラー５１は、コンピューターである。コントローラー５１は、モーター４７の電流値を検知することができない。
【００５５】
自動ドア５０は、モーター４７の電流値を検知するクランプ型センサー５２と、例えばＣＡＮ通信などの特定の通信に対応している起動センサー３５、起動センサー３６および補助光電センサー３７を、この通信に非対応のコントローラー５１に接続するための変換器５３とを備えている。クランプ型センサー５２は、モーター４７と、コントローラー５１とを接続する電線を挟み込むことによって、この電線における電流値、すなわち、モーター４７の電流値を検知するものである。
【００５６】
データ変換器２１は、コントローラー５１から出力される情報や、クランプ型センサー５２から出力される電流値などの情報を特定の通信方式の通信データに加工する。ここで、コントローラー５１からデータ変換器２１に出力される情報としては、例えば、自動ドア５０の各種の設定情報と、自動ドア３０の開きの動作におけるモーター４７の電流値、自動ドア３０の開きの動作におけるドア３１の移動速度、自動ドア３０の閉じの動作におけるドア３１の移動速度、自動ドア３０の開きの動作の所要時間、自動ドア３０の１回の開きの動作におけるモーター４７の回転の回数など、自動ドア５０の各種の保全情報と、自動ドア５０の異常を示す異常情報とが存在する。コントローラー５１からデータ変換器２１への情報の出力の頻度は、例えば３０分間に１回である。
【００５７】
データ変換器２１のメーカーは、自動ドア５０の駆動装置のメーカーと同一であることが好ましい。データ変換器２１のメーカーが自動ドア５０の駆動装置のメーカーと同一である場合、自動ドア５０の駆動装置のメーカーは、駆動装置４０のメーカーと同一である。すなわち、データ変換器２１は、駆動装置４０と、自動ドア５０の駆動装置とで共通のものが使用されることが可能である。
【００５８】
次に、自動ドア監視システム１０の動作について説明する。
【００５９】
まず、モーター４７の電流値の正常時からの変化に基づいて故障予知情報を生成する場合の自動ドア監視システム１０の動作について説明する。
【００６０】
図６は、モーター４７の電流値の正常時からの変化に基づいて異常情報を生成する場合のデータ変換器２１の動作のフローチャートである。
【００６１】
図６に示すように、データ変換器２１は、コントローラー４８から出力された情報に基づいて、自動ドア３０が開いたと判断するまで、自動ドア３０が開いたか否かを判断する（Ｓ１０１）。
【００６２】
データ変換器２１は、自動ドア３０が開いたとＳ１０１において判断すると、自動ドア３０の今回の開きの動作全体におけるモーター４７の電流値の平均値を算出する（Ｓ１０２）。
【００６３】
図７は、モーター４７によって開かれる場合のドア３１の移動速度の一例を示す図である。
【００６４】
図７に示すように、コントローラー４８は、閉まっているドア３１をモーター４７によって開く場合、時間ゼロから時間ｔ１までの間でモーター４７によってドア３１の移動速度を速度ゼロから速度ｖ１まで加速し、時間ｔ１から時間ｔ２までの間でモーター４７によってドア３１の移動速度を速度ｖ１で維持し、時間ｔ２から時間ｔ３までの間でモーター４７によってドア３１の移動速度を速度ｖ１から速度ｖ２まで減速し、時間ｔ３から時間ｔ４までの間でモーター４７によってドア３１の移動速度を速度ｖ２で維持し、時間ｔ４から時間ｔ５までの間でモーター４７によってドア３１の移動速度を速度ｖ２から速度ゼロまで減速する。
【００６５】
自動ドア３０の１回の開きの動作全体におけるモーター４７の電流値の平均値とは、時間ゼロから時間ｔ５までの間のモーター４７の電流値の平均値である。
【００６６】
図６に示すように、データ変換器２１は、Ｓ１０２の処理の後、自動ドア３０の１回の開きの動作全体におけるモーター４７の電流値の、正常時の平均値（以下「モーター電流値正常値」という。）に対して、Ｓ１０２において算出した平均値が特定の値より大きいか否かを判断する（Ｓ１０３）。ここで、データ変換器２１は、モーター電流値正常値を事前に記憶している。例えば、データ変換器２１は、モーター電流値正常値の設定が指示された場合に、モーター４７によって自動ドア３０を開閉させる動作を特定の回数実行し、この動作におけるモーター４７の電流値に基づいてモーター電流値正常値を決定する。モーター電流値正常値の設定が指示されるタイミングとしては、例えば自動ドア３０の設置時が考えられる。
【００６７】
データ変換器２１は、モーター電流値正常値に対して、Ｓ１０２において算出した平均値が特定の値より大きくはないとＳ１０３において判断すると、モーター４７の電流値が正常であることを示す正常情報（以下「モーター電流値正常情報」という。）を生成し（Ｓ１０４）、このモーター電流値正常情報を中継ボックス２２に出力して（Ｓ１０５）、Ｓ１０１の処理を実行する。
【００６８】
データ変換器２１は、モーター電流値正常値に対して、Ｓ１０２において算出した平均値が特定の値より大きいとＳ１０３において判断すると、モーター４７の電流値が異常であることを示す異常情報（以下「モーター電流値異常情報」という。）を生成し（Ｓ１０６）、このモーター電流値異常情報を中継ボックス２２に出力して（Ｓ１０７）、Ｓ１０１の処理を実行する。
【００６９】
データ変換器２１から中継ボックス２２に出力されたモーター電流値正常情報やモーター電流値異常情報は、ゲートウェイ２３を介してサーバー７０に送信される。
【００７０】
図８は、モーター電流値異常情報に基づいて故障予知情報を生成する場合のサーバー７０の動作のフローチャートである。
【００７１】
図８に示すように、サーバー７０は、モーター電流値正常情報またはモーター電流値異常情報を受信したと判断するまで、モーター電流値正常情報またはモーター電流値異常情報を受信したか否かを判断する（Ｓ１２１）。
【００７２】
サーバー７０は、モーター電流値正常情報またはモーター電流値異常情報を受信したとＳ１２１において判断すると、モーター電流値正常情報およびモーター電流値異常情報に関して、モーター電流値異常情報を３回連続して受信したか否かを判断する（Ｓ１２２）。
【００７３】
サーバー７０は、モーター電流値異常情報を３回連続して受信していないとＳ１２２において判断すると、Ｓ１２１の処理を実行する。
【００７４】
サーバー７０は、モーター電流値異常情報を３回連続して受信したとＳ１２２において判断すると、モーター４７の電流値に関する故障予知情報を生成する（Ｓ１２３）。ここで、サーバー７０は、例えば、ドア３１、ガイドレール３３、ハンガーレール４１、ドアハンガー４２など、モーター４７の電流値の変化に関連する部品の劣化度合いを故障予知情報に含めても良い。例えば、サーバー７０は、モーター４７の電流値の正常時からの変化の程度と、モーター４７の電流値の変化に関連する部品の劣化度合いとの対応関係を予め記憶しておくことによって、モーター４７の電流値の変化に関連する部品の劣化度合いを、モーター４７の電流値の正常時からの変化の程度に基づいて取得することが可能である。
【００７５】
サーバー７０は、Ｓ１２３の処理の後、自動ドア３０を管理している拠点の拠点端末に、Ｓ１２３において生成した故障予知情報を送信して（Ｓ１２４）、Ｓ１２１の処理を実行する。
【００７６】
自動ドア３０を管理している拠点の拠点端末は、Ｓ１２４において送信されてきた故障予知情報を受信すると、受信した故障予知情報を例えば表示によって通知する。したがって、自動ドア３０を管理している拠点のサービスパーソンは、この拠点の拠点端末によって通知された故障予知情報に応じて、この故障予知情報の対象の自動ドアである自動ドア３０の保有者への電話や、自動ドア３０に対する現場作業など、自動ドア３０に対する保守業務を行うことができる。なお、自動ドア３０の開きの動作におけるモーター４７の電流値の異常は、例えば、ドア３１およびガイドレール３３の少なくとも一方にゴミが付着していたり、ドア３１およびガイドレール３３の少なくとも一方が変形や摩耗していたりして、ドア３１と、ガイドレール３３との間に異常な摩擦が発生している場合や、ハンガーレール４１と、ドアハンガー４２の戸車４２ａとの少なくとも一方にゴミが付着していたり、ハンガーレール４１および戸車４２ａの少なくとも一方が変形や摩耗していたりして、ハンガーレール４１と、戸車４２ａとの間に異常な摩擦が発生している場合など、自動ドア３０の開きの動作におけるドア３１の移動に対して異常な抵抗が存在する場合に発生している可能性が高い。自動ドア３０は、自動ドア３０の開きの動作におけるドア３１の移動に対して異常な抵抗が存在する場合、この抵抗が除去されるための何らかの処置が実行されなければ、いずれ故障によって動作しなくなる可能性が高い。したがって、自動ドア監視システム１０は、故障予知情報を拠点端末に表示することによって、サービスパーソンによる自動ドア３０の予知保全を支援することができる。
【００７７】
サーバー７０は、以上において、モーター電流値異常情報を３回連続して受信した場合に故障予知情報を生成する。しかしながら、サーバー７０は、モーター電流値異常情報を３回以外の複数回連続して受信した場合に故障予知情報を生成しても良い。また、サーバー７０は、モーター電流値異常情報を複数回連続して受信するという条件以外の条件に応じて、故障予知情報を生成しても良い。例えば、サーバー７０は、モーター電流値異常情報を合計で特定の回数以上受信した場合に故障予知情報を生成しても良いし、モーター電流値異常情報を特定の期間の間に特定の回数以上受信した場合に故障予知情報を生成しても良い。
【００７８】
自動ドア監視システム１０は、以上において、サーバー７０がデータ変換器２１と連携して故障予知情報を生成する。しかしながら、データ変換器２１やサーバー７０がモーター４７の電流値の正常時からの変化に基づいて単独で故障予知情報を生成しても良い。例えば、データ変換器２１は、自動ドア３０の１回の開きの動作全体におけるモーター４７の電流値の平均値がモーター電流値正常値に対して特定の値より大きい場合に、モーター４７の電流値に関する故障予知情報を生成し、この故障予知情報を中継ボックス２２に出力しても良い。そして、サーバー７０は、データ変換器２１から中継ボックス２２およびゲートウェイ２３を介して送信されてきた故障予知情報を、自動ドア３０を管理している拠点の拠点端末に送信しても良い。
【００７９】
データ変換器２１およびサーバー７０は、以上において、自動ドア３０の１回の開きの動作全体におけるモーター４７の電流値の平均値の正常時からの変化に基づいて故障予知情報を生成する。しかしながら、データ変換器２１およびサーバー７０の少なくとも１つは、自動ドア３０におけるモーター４７の電流値の正常時からの変化として、自動ドア３０の１回の開きの動作全体におけるモーター４７の電流値の平均値以外の値の正常時からの変化に基づいて故障予知情報を生成しても良い。例えば、データ変換器２１およびサーバー７０の少なくとも１つは、例えば図７における時間ゼロから時間ｔ１までの間など、自動ドア３０の１回の開きの動作の一部の区間におけるモーター４７の電流値の平均値の正常時からの変化に基づいて故障予知情報を生成しても良い。また、データ変換器２１およびサーバー７０の少なくとも１つは、自動ドア３０の１回の閉じの動作におけるモーター４７の電流値の平均値の正常時からの変化に基づいて故障予知情報を生成しても良いし、自動ドア３０の１回の開きおよび閉じの両方の動作におけるモーター４７の電流値の平均値の正常時からの変化に基づいて故障予知情報を生成しても良い。また、データ変換器２１およびサーバー７０の少なくとも１つは、自動ドア３０の１回の開きおよび閉じの少なくとも１つの動作におけるモーター４７の電流値のピーク値の正常時からの変化に基づいて故障予知情報を生成しても良い。なお、ピーク値は、通常、図７における時間ゼロから時間ｔ１までの間に発生する。
【００８０】
以上においては、自動ドア３０におけるモーター４７の電流値の正常時からの変化に基づいて故障予知情報を生成する場合の自動ドア監視システム１０の動作について説明している。しかしながら、自動ドア５０におけるモーター４７の電流値の正常時からの変化に基づいて故障予知情報を生成する場合の自動ドア監視システム１０の動作についても、クランプ型センサー５２から出力される電流値を利用することを除いて同様である。
【００８１】
以上においては、自動ドアにおけるモーターの電流値の正常時からの変化に基づいて故障予知情報を生成する場合の自動ドア監視システム１０の動作について説明している。しかしながら、データ変換器およびサーバー７０の少なくとも１つは、自動ドアの開きおよび閉じの少なくとも１つの動作におけるドアの移動に対して異常な抵抗が存在する場合の故障予知情報として、自動ドアにおけるモーターの電流値の正常時からの変化に基づいた故障予知情報以外の故障予知情報を、自動ドアにおけるモーターの電流値の正常時からの変化に基づいた故障予知情報と同様な方法によって生成することができる。
【００８２】
例えば、データ変換器およびサーバー７０の少なくとも１つは、自動ドアの１回の開きおよび閉じの少なくとも１つの動作全体におけるドアの移動速度の平均値の正常時からの変化に基づいた故障予知情報や、自動ドアの１回の開きおよび閉じの少なくとも１つの動作におけるドアの移動速度の最高値の正常時からの変化に基づいた故障予知情報など、自動ドアの開きおよび閉じの少なくとも１つの動作におけるドアの移動速度の正常時からの変化に基づいた故障予知情報を、自動ドアにおけるモーターの電流値の正常時からの変化に基づいた故障予知情報と同様な方法によって生成することができる。データ変換器およびサーバー７０の少なくとも１つは、自動ドアの開きおよび閉じの少なくとも１つの動作におけるドアの移動速度が正常時に対して特定の速度以上低い場合に、自動ドアの開きおよび閉じの少なくとも１つの動作におけるドアの移動に対して異常な抵抗が存在すると判断することができる。
【００８３】
また、データ変換器およびサーバー７０の少なくとも１つは、自動ドアの１回の開きおよび閉じの少なくとも１つの動作の所要時間の正常時からの変化に基づいた故障予知情報を、自動ドアにおけるモーターの電流値の正常時からの変化に基づいた故障予知情報と同様な方法によって生成することができる。データ変換器およびサーバー７０の少なくとも１つは、自動ドアの１回の開きおよび閉じの少なくとも１つの動作の所要時間が正常時に対して特定の時間以上長い場合に、自動ドアの開きおよび閉じの少なくとも１つの動作におけるドアの移動に対して異常な抵抗が存在すると判断することができる。
【００８４】
また、データ変換器およびサーバー７０の少なくとも１つは、自動ドアに発生する振動を検知する振動センサーを自動ドアが備えている場合に、自動ドアの１回の開きおよび閉じの少なくとも１つの動作において振動センサーによって検知される振動の正常時からの変化に基づいた故障予知情報を、自動ドアにおけるモーターの電流値の正常時からの変化に基づいた故障予知情報と同様な方法によって生成することができる。データ変換器およびサーバー７０の少なくとも１つは、自動ドアの１回の開きおよび閉じの少なくとも１つの動作において自動ドアに発生する振動が特定の程度以上増加した場合に、自動ドアの開きおよび閉じの少なくとも１つの動作におけるドアの移動に対して異常な抵抗が存在すると判断することができる。
【００８５】
以上においては、自動ドアの開きおよび閉じの少なくとも１つの動作におけるドアの移動に対して異常な抵抗が存在する場合の故障予知情報について説明している。しかしながら、データ変換器およびサーバー７０の少なくとも１つは、自動ドアの開きおよび閉じの少なくとも１つの動作におけるドアの移動に対して異常な抵抗が存在する場合の故障予知情報以外の故障予知情報についても、自動ドアの開きおよび閉じの少なくとも１つの動作におけるドアの移動に対して異常な抵抗が存在する場合の故障予知情報と同様な方法によって生成することができる。
【００８６】
例えば、データ変換器およびサーバー７０の少なくとも１つは、自動ドアの１回の開きおよび閉じの少なくとも１つの動作におけるモーターの回転の回数の正常時からの変化に基づいた故障予知情報を、自動ドアにおけるモーターの電流値の正常時からの変化に基づいた故障予知情報と同様な方法によって生成することができる。ドアの開方向への移動は、ドアハンガーがドアストッパーに接触することによって停止する。したがって、自動ドアの１回の開きの動作におけるモーターの回転の回数は、自動ドアが正常な状態であれば、常に一定である。しかしながら、駆動装置のタイミングベルトが正常時より伸びてしまうと、モーターが通常通りの回数回転したとしてもドアの移動距離が正常時より短くなるので、自動ドアの１回の開きの動作におけるモーターの回転の回数は、正常時より長くなる。また、ドア、ガイドレール、ハンガーレール、ドアハンガーなどの部品のネジが緩むと、ドアハンガーがドアストッパーに接触したとしてもドアがきちんと停止しなくなり、自動ドアの１回の開きの動作におけるモーターの回転の回数は、正常時より長くなる。以上においては、自動ドアの開きの動作について説明しているが、自動ドアの閉じの動作についても同様である。したがって、データ変換器およびサーバー７０の少なくとも１つは、自動ドアの１回の開きおよび閉じの少なくとも１つの動作におけるモーターの回転の回数が正常時に対して特定の回数以上増えた場合に、タイミングベルトの伸びや、ドア、ガイドレール、ハンガーレール、ドアハンガーなどの部品のネジの緩みが存在すると判断することができる。自動ドアは、タイミングベルトの伸びや、ドア、ガイドレール、ハンガーレール、ドアハンガーなどの部品のネジの緩みが存在する場合、タイミングベルトの伸びや、ドア、ガイドレール、ハンガーレール、ドアハンガーなどの部品のネジの緩みを解消するための何らかの処置が実行されなければ、いずれ故障によって動作しなくなる可能性が高い。
【００８７】
データ変換器およびサーバー７０の少なくとも１つは、起動センサー、補助光電センサーなどの各センサーの感度の正常時からの変化に基づいた故障予知情報を、自動ドアにおけるモーターの電流値の正常時からの変化に基づいた故障予知情報と同様な方法によって生成することができる。データ変換器およびサーバー７０の少なくとも１つは、センサーの感度が正常時に対して特定の程度以上劣化した場合に、このセンサーの感度が劣化していると判断することができる。また、データ変換器およびサーバー７０の少なくとも１つは、各センサーの感度の劣化度を、自動ドアの開閉回数、各センサーの稼働時間、各センサーによる検知回数などに基づいて判断することができ、判断した劣化度に基づいた故障予知情報を生成することができる。自動ドアは、センサーの感度が劣化している場合、センサーの感度の劣化を解消するための何らかの処置が実行されなければ、いずれ故障によって動作しなくなる可能性が高い。
【００８８】
以上においては、故障予知情報について説明している。しかしながら、データ変換器およびサーバー７０の少なくとも１つは、故障予知情報以外の情報についても、自動ドアから出力された情報に基づいて生成することができる。
【００８９】
例えば、データ変換器およびサーバー７０の少なくとも１つは、自動ドアの故障情報についても、故障予知情報と同様に、自動ドアから出力された情報に基づいて生成することができる。すなわち、データ変換器およびサーバー７０の少なくとも１つは、自動ドアが開閉の動作をすることができない状態であることを自動ドアから出力された情報に基づいて判断すると、この自動ドアの故障情報を生成する。また、データ変換器およびサーバー７０の少なくとも１つは、自動ドアから通知されるはずの情報が、特定の時間の間、通知されない場合に、この自動ドアの故障情報を生成しても良い。そして、サーバー７０は、自動ドアの故障情報を、この自動ドアを管理している拠点の拠点端末に送信する。
【００９０】
以上において、サーバー７０は、自動ドアの故障予知情報、故障情報などの各種の情報を、この自動ドアを管理している拠点の拠点端末に送信する。サーバー７０から拠点端末に送信される情報は、以下に説明するようなレポートとして纏められたものでも良い。
【００９１】
図９は、サーバー７０から拠点端末に送信されるレポート２００の一例を示す図である。
【００９２】
図９に示すレポート２００は、レポート２００のタイトル２０１を含んでいる。タイトル２０１は、自動ドアの保守業務を行う自動ドア保守会社における、自動ドア監視システム１０の管理者によって変更されることが可能である。自動ドア保守会社は、全ての拠点を束ねる会社である。
【００９３】
レポート２００は、レポート２００における各ページのページ番号と、レポート２００におけるページの総数とを示すページ表示２０２を含んでいる。ページ表示２０２は、「（レポート２００における各ページのページ番号）／（レポート２００におけるページの総数）」の形式で示される。例えば、「１／１」というページ表示２０２は、全１ページのレポート２００における１番目のページであることを示している。「１／２」というページ表示２０２は、全２ページのレポート２００における１番目のページであることを示している。「２／２」というページ表示２０２は、全２ページのレポート２００における２番目のページであることを示している。
【００９４】
レポート２００は、レポート２００の対象の自動ドアの保有者へのレポート２００の配信方法を示す配信方法表示２０３を含んでいる。配信方法としては、電子メール、ＦＡＸ、郵送および手渡しが存在する。配信方法は、自動ドア保守会社と、自動ドアの保有者との間で予め定められる。例えば、配信方法表示２０３は、配信方法が電子メールである場合には「Ｅ」であり、配信方法がＦＡＸである場合には「Ｆ」であり、配信方法が郵送である場合には「Ｍ」であり、配信方法が手渡しである場合には「Ｈ」である。
【００９５】
レポート２００は、レポート２００の対象の自動ドアの保有者を示す保有者表示２０４を含んでいる。サーバー７０は、いずれの自動ドアがいずれの保有者によって保有されているかが予め登録されている。
【００９６】
レポート２００は、レポート２００の生成日を示すレポート生成日表示２０５を含んでいる。
【００９７】
レポート２００は、自動ドア保守会社を示す保守会社表示２０６と、レポート２００の対象の自動ドアを管理している拠点を示す拠点表示２０７と、自動ドア保守会社の電話番号を示す電話番号表示２０８と、レポート２００の対象の自動ドアの、自動ドア保守会社における担当者を示す担当者表示２０９とを含んでいる。
【００９８】
レポート２００は、レポート２００の対象の自動ドアが取り付けられている物件（以下「取付先」という。）の名称を示す物件名称表示２１０と、取付先の住所を示す住所表示２１１と、レポート２００における各種の値の計測期間の最終月の最終日である計測日を示す計測日表示２１２と、レポート２００の対象の自動ドアの台数を示す契約台数表示２１３と、取付先の識別情報を示す取付先コード表示２１４とを備えている。なお、レポート２００の１ページ分に表示される自動ドアは、５台である。したがって、契約台数表示２１３に示される台数が６台以上である場合、レポート２００におけるページの総数は、複数になる。
【００９９】
レポート２００は、レポート２００の対象の自動ドアをレポート２００における対象のページにおいて識別するための符号を示す符合表示２２１と、取付先におけるレポート２００の対象の自動ドアを識別するための内訳番号を示す内訳番号表示２２２と、取付先におけるレポート２００の対象の自動ドアの設置場所名を示す設置場所名表示２２３とを含んでいる。例えば、図９に示す例では、符合「Ａ」が付された自動ドアは、内訳番号「１１１１１」が付されており、設置場所名「正面出入口外部」で示される設置場所に設置されている。
【０１００】
レポート２００は、レポート２００の対象の自動ドアの各種の値の計測結果を示す計測結果欄２３０を含んでいる。計測結果欄２３０は、レポート２００の対象の自動ドアの各種の値の現在の数値を示す数値欄２３１と、レポート２００の対象の自動ドアの各種の値の現在の数値および推移を示すデータ推移欄２３２とを含んでいる。
【０１０１】
数値欄２３１は、レポート２００の対象の自動ドアの現在のコントローラーと、この自動ドアの各センサーとによって出力される保全情報である、自動ドアの開閉回数を示す開閉回数欄２３１ａと、計測日表示２１２に示される計測日が所属する月の初日から最終日までの１ヶ月間、すなわち、直近１ヶ月における自動ドアの開閉回数を示す「直近１ヶ月の開閉回数」欄２３１ｂとを含んでいる。コントローラーによって出力される開閉回数は、コントローラーが交換された場合にはゼロから数えられる。「直近１ヶ月の開閉回数」欄２３１ｂに示される開閉回数は、コントローラーによって出力される開閉回数から計算される。すなわち、サーバー７０は、レポート２００の対象の自動ドアのコントローラーによって出力される開閉回数を日々受信するので、連続する２日間の差分を計算することによって、日毎の開閉回数を取得することができ、直近１ヶ月における日毎の開閉回数を合計することによって、「直近１ヶ月の開閉回数」欄２３１ｂに示される開閉回数を算出することができる。
【０１０２】
数値欄２３１は、直近１ヶ月における自動ドアの使用時間、すなわち、通電時間を示す「直近１ヶ月の使用時間」欄２３１ｃを含んでいる。「直近１ヶ月の使用時間」欄２３１ｃに示される使用時間は、レポート２００の対象の自動ドアのコントローラーによって出力される保全情報である、自動ドアの通電時間から計算される。すなわち、サーバー７０は、レポート２００の対象の自動ドアのコントローラーによって出力される通電時間を日々受信するので、直近１ヶ月における日毎の通電時間を合計することによって、「直近１ヶ月の使用時間」欄２３１ｃに示される使用時間を算出することができる。
【０１０３】
数値欄２３１は、直近１ヶ月における自動ドアの消費電力の目安を示す「直近１ヶ月の消費電力」欄２３１ｄを含んでいる。「直近１ヶ月の消費電力」欄２３１ｄに示される消費電力の目安は、直近１ヶ月における自動ドアの開閉回数と、直近１ヶ月における自動ドアの各センサーの検知回数とに基づいて計算される。具体的に説明すると、サーバー７０は、直近１ヶ月における自動ドアの開閉回数と、自動ドアの１回の開閉時の消費電力の目安とを掛け合わせることによって、直近１ヶ月における自動ドアの開閉時の消費電力の目安を算出することができる。また、サーバー７０は、直近１ヶ月における自動ドアの待機時間と、自動ドアの待機時の単位時間当たりの消費電力の目安とを掛け合わせることによって、直近１ヶ月における自動ドアの待機時の消費電力の目安を算出することができる。また、サーバー７０は、直近１ヶ月におけるセンサーの検知回数と、センサーの１回の検知時の消費電力の目安とを掛け合わせることによって、直近１ヶ月におけるセンサーの検知時の消費電力の目安を算出することができる。また、サーバー７０は、直近１ヶ月におけるセンサーの待機時間と、センサーの待機時の単位時間当たりの消費電力の目安とを掛け合わせることによって、直近１ヶ月におけるセンサーの待機時の消費電力の目安を算出することができる。そして、サーバー７０は、直近１ヶ月における自動ドアの開閉時の消費電力の目安と、直近１ヶ月における自動ドアの待機時の消費電力の目安と、直近１ヶ月における各センサーの検知時の消費電力の目安と、直近１ヶ月における各センサーの待機時の消費電力の目安とを足し合わせることによって、直近１ヶ月における自動ドアの消費電力の目安を算出することができる。ここで、直近１ヶ月における自動ドアのセンサーの検知回数は、自動ドアのセンサーによって出力される保全情報である、センサーの検知回数から計算される。すなわち、サーバー７０は、レポート２００の対象の自動ドアのセンサーによって出力される検知回数を日々受信するので、連続する２日間の差分を計算することによって、日毎の検知回数を取得することができ、直近１ヶ月における日毎の検知回数を合計することによって、直近１ヶ月における自動ドアのセンサーの検知回数を算出することができる。
【０１０４】
数値欄２３１は、自動ドアにおける室内側の起動センサーの検知回数を示すセンサー検知回数（内部）欄２３１ｅを含んでいる。センサー検知回数（内部）欄２３１ｅに示される検知回数は、自動ドアにおける室内側の起動センサーによって出力される保全情報である。自動ドアは、例えばドアの幅が広いなどの理由によって、室内側に起動センサーが複数配置されている場合がある。センサー検知回数（内部）欄２３１ｅに示される検知回数は、自動ドアにおいて室内側に起動センサーが複数配置されている場合には、自動ドアにおける室内側の複数の起動センサーの検知回数の平均である。
【０１０５】
数値欄２３１は、自動ドアにおける室外側の起動センサーの検知回数を示すセンサー検知回数（外部）欄２３１ｆを含んでいる。センサー検知回数（外部）欄２３１ｆに示される検知回数は、自動ドアにおける室外側の起動センサーによって出力される保全情報である。自動ドアは、例えばドアの幅が広いなどの理由によって、室外側に起動センサーが複数配置されている場合がある。センサー検知回数（外部）欄２３１ｆに示される検知回数は、自動ドアにおいて室外側に起動センサーが複数配置されている場合には、自動ドアにおける室外側の複数の起動センサーの検知回数の平均である。
【０１０６】
数値欄２３１は、自動ドアにおける室内側の起動センサーの稼働時間を示すセンサー稼働時間（内部）欄２３１ｇを含んでいる。センサー稼働時間（内部）欄２３１ｇに示される稼働時間は、自動ドアにおける室内側の起動センサーによって出力される保全情報である。センサー稼働時間（内部）欄２３１ｇに示される稼働時間は、自動ドアにおいて室内側に起動センサーが複数配置されている場合には、自動ドアにおける室内側の複数の起動センサーの稼働時間の平均である。
【０１０７】
数値欄２３１は、自動ドアにおける室外側の起動センサーの稼働時間を示すセンサー稼働時間（外部）欄２３１ｈを含んでいる。センサー稼働時間（外部）欄２３１ｈに示される稼働時間は、自動ドアにおける室外側の起動センサーによって出力される保全情報である。センサー稼働時間（外部）欄２３１ｈに示される稼働時間は、自動ドアにおいて室外側に起動センサーが複数配置されている場合には、自動ドアにおける室外側の複数の起動センサーの稼働時間の平均である。
【０１０８】
数値欄２３１は、自動ドアにおける補助光電センサーの検知回数を示す補助光電センサー検知回数欄２３１ｉを含んでいる。補助光電センサー検知回数欄２３１ｉに示される検知回数は、自動ドアにおける補助光電センサーによって出力される保全情報である。自動ドアは、鉛直方向に補助光電センサーが複数配置されている場合がある。補助光電センサー検知回数欄２３１ｉに示される検知回数は、自動ドアにおいて補助光電センサーが複数配置されている場合には、自動ドアにおける複数の補助光電センサーの検知回数の平均である。
【０１０９】
数値欄２３１は、自動ドアにおける補助光電センサーの稼働時間を示す補助光電センサー稼働時間欄２３１ｊを含んでいる。補助光電センサー稼働時間欄２３１ｊに示される稼働時間は、自動ドアにおける補助光電センサーによって出力される保全情報である。補助光電センサー稼働時間欄２３１ｊに示される稼働時間は、自動ドアにおいて補助光電センサーが複数配置されている場合には、自動ドアにおける複数の補助光電センサーの稼働時間の平均である。
【０１１０】
データ推移欄２３２は、自動ドアの１回の開きの動作全体におけるモーターの電流値の平均値の、計測期間における平均値としてのモーター平均電流値と、モーター平均電流値の推移とを示すモーター平均電流値欄２３２ａを含んでいる。自動ドアの１回の開きの動作全体におけるモーターの電流値の平均値は、コントローラーによって出力される保全情報である。モーター平均電流値の推移は、今回の計測期間におけるモーター平均電流値と、初回の計測期間におけるモーター平均電流値との差の大きさに応じた矢印によって示される。すなわち、モーター平均電流値の推移は、今回の計測期間におけるモーター平均電流値が、初回の計測期間におけるモーター平均電流値に対して特定の割合分を増加させた値以下であって、初回の計測期間におけるモーター平均電流値に対して特定の割合分を減少させた値以上である場合に、水平な右向き矢印によって示される。また、モーター平均電流値の推移は、今回の計測期間におけるモーター平均電流値が、初回の計測期間におけるモーター平均電流値に対して特定の割合分を増加させた値超である場合に、右上向き矢印によって示される。また、モーター平均電流値の推移は、今回の計測期間におけるモーター平均電流値が、初回の計測期間におけるモーター平均電流値に対して特定の割合分を減少させた値未満である場合に、右下向き矢印によって示される。なお、初回の計測期間におけるモーター平均電流値に対して特定の割合分を増加させた値は、Ｓ１０３の処理における「特定の値」に相当する。
【０１１１】
データ推移欄２３２は、自動ドアの１回の開きの動作におけるモーターの電流値のピーク値の、計測期間における平均値としてのモーターピーク電流値と、モーターピーク電流値の推移とを示すモーターピーク電流値欄２３２ｂを含んでいる。自動ドアの１回の開きの動作におけるモーターの電流値のピーク値は、コントローラーによって出力される保全情報である。モーターピーク電流値の推移は、今回の計測期間におけるモーターピーク電流値と、初回の計測期間におけるモーターピーク電流値との差の大きさに応じた矢印によって示される。すなわち、モーターピーク電流値の推移は、今回の計測期間におけるモーターピーク電流値が、初回の計測期間におけるモーターピーク電流値に対して特定の割合分を増加させた値以下であって、初回の計測期間におけるモーターピーク電流値に対して特定の割合分を減少させた値以上である場合に、水平な右向き矢印によって示される。また、モーターピーク電流値の推移は、今回の計測期間におけるモーターピーク電流値が、初回の計測期間におけるモーターピーク電流値に対して特定の割合分を増加させた値超である場合に、右上向き矢印によって示される。また、モーターピーク電流値の推移は、今回の計測期間におけるモーターピーク電流値が、初回の計測期間におけるモーターピーク電流値に対して特定の割合分を減少させた値未満である場合に、右下向き矢印によって示される。
【０１１２】
レポート２００は、計測結果欄２３０に示される各種の値に対する基準値を示す基準値欄２３３を含んでいる。図９に示す例では、基準値欄２３３は、開閉回数欄２３１ａに示される開閉回数に対する基準値と、センサー稼働時間（内部）欄２３１ｇに示される稼働時間に対する基準値と、センサー稼働時間（外部）欄２３１ｈに示される稼働時間に対する基準値と、補助光電センサー稼働時間欄２３１ｊに示される稼働時間に対する基準値とを含んでいる。
【０１１３】
レポート２００は、レポート２００の対象の自動ドアに発生したアラームの回数を示すアラーム発生回数欄２４０を含んでいる。アラーム発生回数欄２４０は、アラームの発生回数の対象の期間を示す期間欄２４１と、レポート２００の対象の自動ドアのコントローラーに関するアラームの発生回数を示す制御部欄２４２と、レポート２００の対象の自動ドアのセンサーに関するアラームの発生回数を示す検出部欄２４３とを含んでいる。
【０１１４】
期間欄２４１には、直近の３回分の期間が示されている。図９に示す例では、各期間は４ヶ月であり、今回の期間は２０１８年９月１日〜２０１８年１２月３１日である。なお、期間欄２４１に示される期間は、変更されることが可能である。
【０１１５】
制御部欄２４２は、期間欄２４１に示す期間における自動ドアのモーターの電流値に関するアラームの発生回数を示す電流アラーム欄２４２ａを含んでいる。電流アラーム欄２４２ａに示される発生回数は、自動ドアの１回の開きの動作全体におけるモーターの電流値の平均値に関して、モーターの電流値が異常であることを示す異常情報をサーバー７０が自動ドアから３回連続して受信した回数と、自動ドアの１回の開きの動作におけるモーターの電流値のピーク値に関して、モーターの電流値が異常であることを示す異常情報をサーバー７０が自動ドアから３回連続して受信した回数との合計である。例えば、電流アラーム欄２４２ａに示される発生回数は、自動ドアの１回の開きの動作全体におけるモーターの電流値の平均値に関して、モーターの電流値が異常であることを示す異常情報をサーバー７０が自動ドアから３回連続して受信した場合に１増加し、その後、自動ドアの１回の開きの動作全体におけるモーターの電流値の平均値に関して、モーターの電流値が異常であることを示す異常情報をサーバー７０が自動ドアから新たに３回連続して受信した場合に１増加する。同様に、電流アラーム欄２４２ａに示される発生回数は、自動ドアの１回の開きの動作全体におけるモーターの電流値のピーク値に関して、モーターの電流値が異常であることを示す異常情報をサーバー７０が自動ドアから３回連続して受信した場合に１増加し、その後、自動ドアの１回の開きの動作全体におけるモーターの電流値のピーク値に関して、モーターの電流値が異常であることを示す異常情報をサーバー７０が自動ドアから新たに３回連続して受信した場合に１増加する。ここで、自動ドアのコントローラーは、自動ドアの１回の開きの動作全体におけるモーターの電流値の平均値が、初回の計測期間におけるモーター平均電流値に対して特定の割合分を増加させた値超である場合か、初回の計測期間におけるモーター平均電流値に対して特定の割合分を減少させた値未満である場合に、自動ドアの１回の開きの動作全体におけるモーターの電流値の平均値に関して、モーターの電流値が異常であることを示す異常情報をサーバー７０に送信する。同様に、自動ドアのコントローラーは、自動ドアの１回の開きの動作におけるモーターの電流値のピーク値が、初回の計測期間におけるモーターピーク電流値に対して特定の割合分を増加させた値超である場合か、初回の計測期間におけるモーターピーク電流値に対して特定の割合分を減少させた値未満である場合に、自動ドアの１回の開きの動作におけるモーターの電流値のピーク値に関して、モーターの電流値が異常であることを示す異常情報をサーバー７０に送信する。なお、自動ドアの１回の開きの動作全体におけるモーターの電流値の平均値に関して、モーターの電流値が異常であることを示す異常情報をサーバー７０が自動ドアから何回連続して受信した場合に、電流アラーム欄２４２ａに示される発生回数を１増加させるかや、自動ドアの１回の開きの動作全体におけるモーターの電流値のピーク値に関して、モーターの電流値が異常であることを示す異常情報をサーバー７０が自動ドアから何回連続して受信した場合に、電流アラーム欄２４２ａに示される発生回数を１増加させるかは、変更されることが可能である。
【０１１６】
制御部欄２４２は、期間欄２４１に示す期間における自動ドアの開きまたは閉じの動作における過負荷に関するアラームの発生回数を示す過負荷検知アラーム欄２４２ｂを含んでいる。ここで、自動ドアのコントローラーは、自動ドアの開きの動作における過負荷（以下「開過負荷」という。）を検知した場合に、開過負荷の異常が発生したことを示す異常情報をサーバー７０に送信する。同様に、自動ドアのコントローラーは、自動ドアの閉じの動作における過負荷（以下「閉過負荷」という。）を検知した場合に、閉過負荷の異常が発生したことを示す異常情報をサーバー７０に送信する。過負荷検知アラーム欄２４２ｂに示される発生回数は、開過負荷の異常が発生したことを示す異常情報をサーバー７０が自動ドアから３回連続して受信した回数と、閉過負荷の異常が発生したことを示す異常情報をサーバー７０が自動ドアから３回連続して受信した回数との合計である。例えば、過負荷検知アラーム欄２４２ｂに示される発生回数は、開過負荷の異常が発生したことを示す異常情報をサーバー７０が自動ドアから３回連続して受信した場合に１増加し、その後、開過負荷の異常が発生したことを示す異常情報をサーバー７０が自動ドアから新たに３回連続して受信した場合に１増加する。同様に、過負荷検知アラーム欄２４２ｂに示される発生回数は、閉過負荷の異常が発生したことを示す異常情報をサーバー７０が自動ドアから３回連続して受信した場合に１増加し、その後、閉過負荷の異常が発生したことを示す異常情報をサーバー７０が自動ドアから新たに３回連続して受信した場合に１増加する。開過負荷の異常が発生したことを示す異常情報をサーバー７０が自動ドアから３回連続して受信したという情報や、閉過負荷の異常が発生したことを示す異常情報をサーバー７０が自動ドアから３回連続して受信したという情報は、それぞれ、サーバー７０によって生成される故障情報である。なお、開過負荷の異常が発生したことを示す異常情報をサーバー７０が自動ドアから何回連続して受信した場合に、過負荷検知アラーム欄２４２ｂに示される発生回数を１増加させるかや、閉過負荷の異常が発生したことを示す異常情報をサーバー７０が自動ドアから何回連続して受信した場合に、過負荷検知アラーム欄２４２ｂに示される発生回数を１増加させるかは、変更されることが可能である。
【０１１７】
制御部欄２４２は、期間欄２４１に示す期間における自動ドアの開きの動作におけるドアの移動速度に関するアラームの発生回数を示す扉開速度アラーム欄２４２ｃを含んでいる。扉開速度アラーム欄２４２ｃに示される発生回数は、自動ドアの１回の開きの動作全体におけるドアの移動速度の平均値に関して、ドアの移動速度が異常であることを示す異常情報をサーバー７０が自動ドアから３回連続して受信した回数と、自動ドアの１回の開きの動作におけるドアの移動速度のピーク値に関して、ドアの移動速度が異常であることを示す異常情報をサーバー７０が自動ドアから３回連続して受信した回数との合計である。例えば、扉開速度アラーム欄２４２ｃに示される発生回数は、自動ドアの１回の開きの動作全体におけるドアの移動速度の平均値に関して、ドアの移動速度が異常であることを示す異常情報をサーバー７０が自動ドアから３回連続して受信した場合に１増加し、その後、自動ドアの１回の開きの動作全体におけるドアの移動速度の平均値に関して、ドアの移動速度が異常であることを示す異常情報をサーバー７０が自動ドアから新たに３回連続して受信した場合に１増加する。同様に、扉開速度アラーム欄２４２ｃに示される発生回数は、自動ドアの１回の開きの動作全体におけるドアの移動速度のピーク値に関して、ドアの移動速度が異常であることを示す異常情報をサーバー７０が自動ドアから３回連続して受信した場合に１増加し、その後、自動ドアの１回の開きの動作全体におけるドアの移動速度のピーク値に関して、ドアの移動速度が異常であることを示す異常情報をサーバー７０が自動ドアから新たに３回連続して受信した場合に１増加する。ここで、自動ドアのコントローラーは、自動ドアの１回の開きの動作全体におけるドアの移動速度の平均値が、初回の計測期間におけるドアの移動速度の平均値に対して特定の割合分を増加させた値超である場合か、初回の計測期間におけるドアの移動速度の平均値に対して特定の割合分を減少させた値未満である場合に、自動ドアの１回の開きの動作全体におけるドアの移動速度の平均値に関して、ドアの移動速度が異常であることを示す異常情報をサーバー７０に送信する。同様に、自動ドアのコントローラーは、自動ドアの１回の開きの動作におけるドアの移動速度のピーク値が、初回の計測期間におけるドアの移動速度のピーク値の平均値に対して特定の割合分を増加させた値超である場合か、初回の計測期間におけるドアの移動速度のピーク値の平均値に対して特定の割合分を減少させた値未満である場合に、自動ドアの１回の開きの動作におけるドアの移動速度のピーク値に関して、ドアの移動速度が異常であることを示す異常情報をサーバー７０に送信する。なお、自動ドアの１回の開きの動作全体におけるドアの移動速度の平均値に関して、ドアの移動速度が異常であることを示す異常情報をサーバー７０が自動ドアから何回連続して受信した場合に、扉開速度アラーム欄２４２ｃに示される発生回数を１増加させるかや、自動ドアの１回の開きの動作全体におけるドアの移動速度のピーク値に関して、ドアの移動速度が異常であることを示す異常情報をサーバー７０が自動ドアから何回連続して受信した場合に、扉開速度アラーム欄２４２ｃに示される発生回数を１増加させるかは、変更されることが可能である。
【０１１８】
制御部欄２４２は、期間欄２４１に示す期間における自動ドアの閉じの動作におけるドアの移動速度に関するアラームの発生回数を示す扉閉速度アラーム欄２４２ｄを含んでいる。扉閉速度アラーム欄２４２ｄに示される発生回数は、自動ドアの１回の閉じの動作全体におけるドアの移動速度の平均値に関して、ドアの移動速度が異常であることを示す異常情報をサーバー７０が自動ドアから３回連続して受信した回数と、自動ドアの１回の閉じの動作におけるドアの移動速度のピーク値に関して、ドアの移動速度が異常であることを示す異常情報をサーバー７０が自動ドアから３回連続して受信した回数との合計である。例えば、扉閉速度アラーム欄２４２ｄに示される発生回数は、自動ドアの１回の閉じの動作全体におけるドアの移動速度の平均値に関して、ドアの移動速度が異常であることを示す異常情報をサーバー７０が自動ドアから３回連続して受信した場合に１増加し、その後、自動ドアの１回の閉じの動作全体におけるドアの移動速度の平均値に関して、ドアの移動速度が異常であることを示す異常情報をサーバー７０が自動ドアから新たに３回連続して受信した場合に１増加する。同様に、扉閉速度アラーム欄２４２ｄに示される発生回数は、自動ドアの１回の閉じの動作全体におけるドアの移動速度のピーク値に関して、ドアの移動速度が異常であることを示す異常情報をサーバー７０が自動ドアから３回連続して受信した場合に１増加し、その後、自動ドアの１回の閉じの動作全体におけるドアの移動速度のピーク値に関して、ドアの移動速度が異常であることを示す異常情報をサーバー７０が自動ドアから新たに３回連続して受信した場合に１増加する。ここで、自動ドアのコントローラーは、自動ドアの１回の閉じの動作全体におけるドアの移動速度の平均値が、初回の計測期間におけるドアの移動速度の平均値に対して特定の割合分を増加させた値超である場合か、初回の計測期間におけるドアの移動速度の平均値に対して特定の割合分を減少させた値未満である場合に、自動ドアの１回の閉じの動作全体におけるドアの移動速度の平均値に関して、ドアの移動速度が異常であることを示す異常情報をサーバー７０に送信する。同様に、自動ドアのコントローラーは、自動ドアの１回の閉じの動作におけるドアの移動速度のピーク値が、初回の計測期間におけるドアの移動速度のピーク値の平均値に対して特定の割合分を増加させた値超である場合か、初回の計測期間におけるドアの移動速度のピーク値の平均値に対して特定の割合分を減少させた値未満である場合に、自動ドアの１回の閉じの動作におけるドアの移動速度のピーク値に関して、ドアの移動速度が異常であることを示す異常情報をサーバー７０に送信する。なお、自動ドアの１回の閉じの動作全体におけるドアの移動速度の平均値に関して、ドアの移動速度が異常であることを示す異常情報をサーバー７０が自動ドアから何回連続して受信した場合に、扉閉速度アラーム欄２４２ｄに示される発生回数を１増加させるかや、自動ドアの１回の閉じの動作全体におけるドアの移動速度のピーク値に関して、ドアの移動速度が異常であることを示す異常情報をサーバー７０が自動ドアから何回連続して受信した場合に、扉閉速度アラーム欄２４２ｄに示される発生回数を１増加させるかは、変更されることが可能である。
【０１１９】
制御部欄２４２は、期間欄２４１に示す期間における自動ドアのドアの開放時間に関するアラームの発生回数を示す開放時間アラーム欄２４２ｅを含んでいる。ここで、自動ドアのコントローラーは、自動ドアの開放時間が特定の時間以上になったことを検知した場合に、開放時間の異常が発生したことを示す異常情報をサーバー７０に送信する。開放時間アラーム欄２４２ｅに示される発生回数は、開放時間の異常が発生したことを示す異常情報をサーバー７０が自動ドアから３回連続して受信した回数である。例えば、開放時間アラーム欄２４２ｅに示される発生回数は、開放時間の異常が発生したことを示す異常情報をサーバー７０が自動ドアから３回連続して受信した場合に１増加し、その後、開放時間の異常が発生したことを示す異常情報をサーバー７０が自動ドアから新たに３回連続して受信した場合に１増加する。開放時間の異常が発生したことを示す異常情報は、コントローラーによって出力される保全情報である。なお、開放時間の異常が発生したことを示す異常情報をサーバー７０が自動ドアから何回連続して受信した場合に、開放時間アラーム欄２４２ｅに示される発生回数を１増加させるかは、変更されることが可能である。
【０１２０】
制御部欄２４２は、期間欄２４１に示す期間における自動ドアのストロークの異常の発生回数を示すストローク異常欄２４２ｆを含んでいる。ここで、ここで、自動ドアのコントローラーは、自動ドアの１回の開きの動作におけるモーターの回転の回数が正常時に対して特定の回数以上増えた場合に、モーターの回転の回数が異常であることを示す異常情報を保全情報としてサーバー７０に送信する。ストローク異常欄２４２ｆに示される発生回数は、モーターの回転の回数が異常であることを示す異常情報をサーバー７０が自動ドアから３回連続して受信した回数である。例えば、ストローク異常欄２４２ｆに示される発生回数は、モーターの回転の回数が異常であることを示す異常情報をサーバー７０が自動ドアから３回連続して受信した場合に１増加し、その後、モーターの回転の回数が異常であることを示す異常情報をサーバー７０が自動ドアから新たに３回連続して受信した場合に１増加する。なお、モーターの回転の回数が異常であることを示す異常情報をサーバー７０が自動ドアから何回連続して受信した場合に、ストローク異常欄２４２ｆに示される発生回数を１増加させるかは、変更されることが可能である。
【０１２１】
検出部欄２４３は、自動ドアにおける室内側の起動センサーの飽和異常の発生回数を示す飽和異常（内部）欄２４３ａを含んでいる。起動センサーの飽和異常は、自動ドアからサーバー７０にリアルタイムに通知される異常である。ここで、起動センサーの飽和異常とは、起動センサーにおける発光部によって照射された光よりも強い光が、起動センサーにおける受光部によって検出されたという異常である。起動センサーの飽和異常は、例えば、床などに太陽光が反射されて起動センサーにおける受光部によって検出される場合などに発生する。例えば、起動センサーの飽和異常が発生すると、起動センサーが常に人を検出している状態と同様の状態になるので、自動ドアが正常に動作しない。自動ドアにおいて室内側に起動センサーが複数配置されている場合に、複数の起動センサーの飽和異常が１０分などの特定の時間以内に発生したとき、これらの飽和異常は、同一の原因によって発生した可能性が高い。したがって、サーバー７０は、自動ドアにおいて室内側に起動センサーが複数配置されている場合に、複数の起動センサーの飽和異常が１０分などの特定の時間以内に発生したとき、これらの飽和異常を、複数回の飽和異常としてではなく、１回の飽和異常として扱う。この特定の時間は、変更されることが可能である。なお、サーバー７０は、１回の飽和異常が１０分などの特定の時間以上継続する場合、この飽和異常を故障情報として、この飽和異常が発生している自動ドアの担当の拠点のサービスパーソンの電子メールなど、特定の電子メールアドレス宛に電子メールで通知する。この特定の時間についても、変更されることが可能である。
【０１２２】
検出部欄２４３は、自動ドアにおける室外側の起動センサーの飽和異常の発生回数を示す飽和異常（外部）欄２４３ｂを含んでいる。サーバー７０は、自動ドアにおいて室外側に起動センサーが複数配置されている場合に、複数の起動センサーの飽和異常が１０分などの特定の時間以内に発生したとき、これらの飽和異常を、複数回の飽和異常としてではなく、１回の飽和異常として扱う。この特定の時間は、変更されることが可能である。なお、サーバー７０は、１回の飽和異常が１０分などの特定の時間以上継続する場合、この飽和異常を故障情報として、この飽和異常が発生している自動ドアの担当の拠点のサービスパーソンの電子メールなど、特定の電子メールアドレス宛に電子メールで通知する。この特定の時間についても、変更されることが可能である。
【０１２３】
検出部欄２４３は、自動ドアにおける補助光電センサーの感度不足の発生回数を示す補助光電センサー感度不足欄２４３ｃを含んでいる。補助光電センサーの感度不足は、自動ドアからサーバー７０にリアルタイムに通知される異常である。ここで、補助光電センサーの感度不足は、補助光電センサーにおける発光部によって照射される光の強さの低下や、補助光電センサーにおける受光部による光の検出の感度の低下などによって発生する。例えば、補助光電センサーの感度不足が発生すると、補助光電センサーが常に人を検出している状態と同様の状態になるので、自動ドアが正常に動作しない。
【０１２４】
レポート２００は、レポート２００の対象の自動ドアに関するお知らせを示すお知らせ欄２５０を含んでいる。お知らせ欄２５０は、お知らせの内容を示す内容欄２５１と、レポート２００の対象の自動ドアの現在までの歴代の全てのコントローラーによって出力された自動ドアの開閉回数の累計を示す累計開閉回数欄２５２とを含んでいる。
【０１２５】
サーバー７０は、レポート２００の対象の自動ドアに関して、開閉回数欄２３１ａに示される開閉回数が基準値欄２３３に示される基準値の９０％以上１００％以下である場合に、「開閉回数が予防保全ラインに近付いています。」というメッセージを内容欄２５１に含めるとともに、このメッセージに関連付けた、例えば「＊１」などの符号を開閉回数欄２３１ａに含める。ここで、９０％という下限値は、変更されることが可能である。同様に、サーバー７０は、レポート２００の対象の自動ドアに関して、開閉回数欄２３１ａに示される開閉回数が基準値欄２３３に示される基準値の１００％超である場合に、「開閉回数が予防保全ラインを超えています。」というメッセージを内容欄２５１に含めるとともに、このメッセージに関連付けた符号を開閉回数欄２３１ａに含める。
【０１２６】
サーバー７０は、レポート２００の対象の自動ドアに関して、センサー稼働時間（内部）欄２３１ｇに示される稼働時間が基準値欄２３３に示される基準値の９０％以上１００％以下である場合に、「室内側の起動センサーの稼働時間が予防保全ラインに近付いています。」というメッセージを内容欄２５１に含めるとともに、このメッセージに関連付けた、例えば「＊２」などの符号をセンサー稼働時間（内部）欄２３１ｇに含める。ここで、９０％という下限値は、変更されることが可能である。同様に、サーバー７０は、レポート２００の対象の自動ドアに関して、センサー稼働時間（内部）欄２３１ｇに示される稼働時間が基準値欄２３３に示される基準値の１００％超である場合に、「室内側の起動センサーの稼働時間が予防保全ラインを超えています。」というメッセージを内容欄２５１に含めるとともに、このメッセージに関連付けた符号をセンサー稼働時間（内部）欄２３１ｇに含める。
【０１２７】
サーバー７０は、レポート２００の対象の自動ドアに関して、センサー稼働時間（外部）欄２３１ｈに示される稼働時間が基準値欄２３３に示される基準値の９０％以上１００％以下である場合に、「室外側の起動センサーの稼働時間が予防保全ラインに近付いています。」というメッセージを内容欄２５１に含めるとともに、このメッセージに関連付けた、例えば「＊３」などの符号をセンサー稼働時間（外部）欄２３１ｈに含める。ここで、９０％という下限値は、変更されることが可能である。同様に、サーバー７０は、レポート２００の対象の自動ドアに関して、センサー稼働時間（外部）欄２３１ｈに示される稼働時間が基準値欄２３３に示される基準値の１００％超である場合に、「室外側の起動センサーの稼働時間が予防保全ラインを超えています。」というメッセージを内容欄２５１に含めるとともに、このメッセージに関連付けた符号をセンサー稼働時間（外部）欄２３１ｈに含める。
【０１２８】
サーバー７０は、レポート２００の対象の自動ドアに関して、補助光電センサー稼働時間２３１ｊに示される稼働時間が基準値欄２３３に示される基準値の９０％以上１００％以下である場合に、「補助光電センサーの稼働時間が予防保全ラインに近付いています。」というメッセージを内容欄２５１に含めるとともに、このメッセージに関連付けた、例えば「＊４」などの符号を補助光電センサー稼働時間２３１ｊに含める。ここで、９０％という下限値は、変更されることが可能である。同様に、サーバー７０は、レポート２００の対象の自動ドアに関して、補助光電センサー稼働時間２３１ｊに示される稼働時間が基準値欄２３３に示される基準値の１００％超である場合に、「補助光電センサーの稼働時間が予防保全ラインを超えています。」というメッセージを内容欄２５１に含めるとともに、このメッセージに関連付けた符号を補助光電センサー稼働時間２３１ｊに含める。
【０１２９】
以上においては、自動ドアの予防保全のための予防保全情報が内容欄２５１に含まれる例について説明している。しかしながら、サーバー７０は、上述した予防保全情報以外の予防保全情報を内容欄２５１に含めても良いし、例えば故障予知情報など、予防保全情報以外の情報を内容欄２５１に含めても良い。
【０１３０】
図１０は、サーバー７０がレポート２００を生成する場合の自動ドア監視システム１０の動作のシーケンス図である。
【０１３１】
図１０に示すように、サーバー７０は、レポート２００を自動で生成する（Ｓ１４１）と、Ｓ１４１において生成したレポート２００を、レポート２００の拠点表示２０７に示される拠点の拠点端末に送信する（Ｓ１４２）。
【０１３２】
拠点端末は、Ｓ１４２において送信されてきたレポート２００を受信すると、レポート２００の配信方法表示２０３に基づいて、レポート２００の配信方法を判定する（Ｓ１４３）。
【０１３３】
拠点端末は、レポート２００の配信方法が電子メールであるとＳ１４３において判定すると、レポート２００の保有者表示２０４に示される保有者の電子メールアドレスとして予め登録されている電子メールアドレス宛てに、レポート２００を電子メールで自動で配信する（Ｓ１４４）。なお、保有者の電子メールアドレスは、拠点端末によって管理されていても良いが、サーバー７０によって管理されていても良い。
【０１３４】
拠点端末は、Ｓ１４４の処理の後、電子メールによってレポート２００を自動で配信したことを例えば表示によって通知する（Ｓ１４５）。したがって、この拠点端末が配置されている拠点のサービスパーソンは、電子メールによってレポート２００が自動で配信されたことを認識することができる。例えば、サービスパーソンは、レポート２００の保有者表示２０４に示される保有者からレポート２００に関して問い合わせがあった場合に、拠点端末を介してレポート２００を確認することができる。
【０１３５】
拠点端末は、レポート２００の配信方法がＦＡＸであるとＳ１４３において判定すると、レポート２００の保有者表示２０４に示される保有者のＦＡＸ番号として予め登録されているＦＡＸ番号宛てに、レポート２００をＦＡＸで自動で配信する（Ｓ１４６）。なお、保有者のＦＡＸ番号は、拠点端末によって管理されていても良いが、サーバー７０によって管理されていても良い。
【０１３６】
拠点端末は、Ｓ１４６の処理の後、ＦＡＸによってレポート２００を自動で配信したことを例えば表示によって通知する（Ｓ１４７）。したがって、この拠点端末が配置されている拠点のサービスパーソンは、ＦＡＸによってレポート２００が自動で配信されたことを認識することができる。例えば、サービスパーソンは、レポート２００の保有者表示２０４に示される保有者からレポート２００に関して問い合わせがあった場合に、拠点端末を介してレポート２００を確認することができる。
【０１３７】
拠点端末は、レポート２００の配信方法が郵送または手渡しであるとＳ１４３において判定すると、図示していないプリンターによってレポート２００を印刷する（Ｓ１４８）。Ｓ１４８において印刷されたレポート２００は、その配信方法が郵送である場合には、レポート２００の保有者表示２０４に示される保有者の住所宛てに、作業者によって郵送される。Ｓ１４８において印刷されたレポート２００は、その配信方法が手渡しである場合には、レポート２００の保有者表示２０４に示される保有者を訪問したサービスパーソンによって、この保有者に手渡される。なお、保有者の住所は、拠点端末によって管理されていても良いが、サーバー７０によって管理されていても良い。
【０１３８】
拠点端末は、Ｓ１４８の処理の後、配信方法が郵送または手渡しであるレポート２００を受信したことを例えば表示によって通知する（Ｓ１４９）。したがって、この拠点端末が配置されている拠点のサービスパーソンは、配信方法が郵送または手渡しであるレポート２００が拠点端末によって受信されたことを認識することができる。例えば、サービスパーソンは、レポート２００の保有者表示２０４に示される保有者からレポート２００に関して問い合わせがあった場合に、拠点端末を介してレポート２００を確認することができる。
【０１３９】
以上においては、サーバー７０からＳ１４２において送信されたレポート２００を受信した拠点端末が、Ｓ１４４またはＳ１４６においてレポート２００を電子メールまたはＦＡＸで自動で配信する例について説明している。しかしながら、サーバー７０は、拠点端末を経由せずに、レポート２００の保有者表示２０４に示される保有者の電子メールアドレスとして予め登録されている電子メールアドレス宛てに、レポート２００を電子メールで自動で配信したり、レポート２００の保有者表示２０４に示される保有者のＦＡＸ番号として予め登録されているＦＡＸ番号宛てに、レポート２００をＦＡＸで自動で配信したりしても良い。
【０１４０】
なお、中継ボックスは、サーバー７０に送信すべき故障情報が存在する場合には、故障情報をゲートウェイ経由でサーバー７０に即時に送信し、サーバー７０に送信すべき設定情報および保全情報の少なくとも１つが存在する場合には、サーバー７０に送信すべき設定情報および保全情報を、例えば１日１回など、定期的にゲートウェイ経由でサーバー７０に送信する。中継ボックスは、サーバー７０に送信すべき故障予知情報が存在する場合には、故障予知情報をゲートウェイ経由でサーバー７０に即時に送信しても良いし、故障予知情報を定期的にゲートウェイ経由でサーバー７０に送信しても良い。中継ボックスは、一部の情報をゲートウェイ経由でサーバー７０に即時に送信しないことによって、ゲートウェイによる情報の送信に必要な通信コストを抑えることができる。
【０１４１】
以上に説明したように、自動ドア監視システム１０は、自動ドアから出力される情報の正常時からの変化に基づいて自動ドアの故障予知情報を生成し、生成した故障予知情報を通知するので、自動ドアの予知保全を支援することができる。
【０１４２】
自動ドア監視システム１０は、自動ドアを駆動するモーターの電流値の正常時からの変化に基づいて故障予知情報を生成するので、自動ドアのドアの移動に対して異常な抵抗が存在する場合の自動ドアの予知保全を支援することができる。
【０１４３】
自動ドア監視システム１０は、自動ドアの開きおよび閉じの少なくとも１つの動作における、自動ドアのドアの移動速度の正常時からの変化に基づいて故障予知情報を生成する場合、自動ドアのドアの移動に対して異常な抵抗が存在する場合の自動ドアの予知保全を支援することができる。
【０１４４】
自動ドア監視システム１０は、自動ドアの開きおよび閉じの少なくとも１つの動作の所要時間の正常時からの変化に基づいて故障予知情報を生成する場合、自動ドアのドアの移動に対して異常な抵抗が存在する場合の自動ドアの予知保全を支援することができる。
【０１４５】
自動ドア監視システム１０は、自動ドアの開きおよび閉じの少なくとも１つの動作において自動ドアに発生する振動の正常時からの変化に基づいて故障予知情報を生成する場合、自動ドアのドアの移動に対して異常な抵抗が存在する場合の自動ドアの予知保全を支援することができる。
【０１４６】
自動ドア監視システム１０は、自動ドアの開きおよび閉じの少なくとも１つの動作における、自動ドアを駆動するモーターの回転の回数の正常時からの変化に基づいて故障予知情報を生成する場合、タイミングベルトの伸びや、ドア、ガイドレール、ハンガーレール、ドアハンガーなどの部品のネジの緩みが存在する場合の自動ドアの予知保全を支援することができる。
【０１４７】
自動ドア監視システム１０は、自動ドアのセンサーの感度の正常時からの変化に基づいて故障予知情報を生成する場合、センサーの感度の劣化が存在する場合の自動ドアの予知保全を支援することができる。
【０１４８】
自動ドア監視システム１０は、自動ドアから出力される情報の正常時からの変化に関連する部品の劣化度合いを故障予知情報に含める場合、部品の交換に関して、自動ドアの予知保全を支援することができる。
【０１４９】
自動ドア監視システム１０は、故障予知情報を含むレポートを自動で生成する（Ｓ１４１）ので、作業員が現場で自動ドアの状態を見てレポートを生成する必要がなく、利便性を向上することができる。
【０１５０】
自動ドア監視システム１０は、故障予知情報を含むレポートを自動ドアの保有者に自動で送信する（Ｓ１４４またはＳ１４６）ので、利便性を向上することができる。
【０１５１】
なお、自動ドア監視システム１０は、図１１に示すように、自動ドアの設置場所毎に配置されても良い。図１１に示す自動ドア監視システム１０において、コントローラーから出力される設定情報および保全情報と、各センサーから出力される設定情報および保全情報と、データ変換器において生成された故障予知情報および故障情報とは、コンピューター８０の表示部に表示される。コンピューター８０は、故障予知情報および故障情報を表示によって通知する装置であり、本発明の情報通知部を構成している。
【０１５２】
自動ドアが備えるセンサーとしては、本実施の形態において、起動センサーおよび補助光電センサーが例示されている。しかしながら、自動ドアは、起動センサーおよび補助光電センサー以外のセンサーを備えても良い。例えば、自動ドアは、ドアが開く場合のドアの進行方向に存在する物体を検知するための戸袋センサーを備えても良い。なお、本実施の形態における種々の処理においては、起動センサーおよび補助光電センサー以外のセンサーについても、起動センサーおよび補助光電センサーと同様に扱われる。
【符号の説明】
【０１５３】
１０  自動ドア監視システム
２１  データ変換器（情報生成部、故障予知情報生成装置）
３０  自動ドア
３１  ドア（部品）
３３  ガイドレール（部品）
３５、３６  起動センサー（センサー）
３７  補助光電センサー（センサー）
４１  ハンガーレール（部品）
４２  ドアハンガー（部品）
４７  モーター
５０  自動ドア
６０  拠点端末（情報通知部）
７０  サーバー（情報生成部、故障予知情報生成装置）
８０  コンピューター（情報通知部）
２００  レポート
【図１】
2020070709.tif 000003
【図２】
2020070709.tif 000004
【図３】
2020070709.tif 000005
【図４】
2020070709.tif 000006
【図５】
2020070709.tif 000007
【図６】
2020070709.tif 000008
【図７】
2020070709.tif 000009
【図８】
2020070709.tif 000010
【図９】
2020070709.tif 000011
【図１０】
2020070709.tif 000012
【図１１】
2020070709.tif 000013